(57)【要約】  本発明による方法と装置は、容器をブロー成形するために用いる。パリソンを熱的にコンディショニングした後、該パリソンをブロー成形型の内部で引伸ばし棒により引伸ばし、吹き込み圧を作用させることにより容器に成形する。まず低圧供給部（４２）から供給される第１の吹き込み圧を使用し、次に高圧供給部から供給される第２のより高い吹き込み圧を使用する。吹き込み空気を少なくとも１つの吹き込み弁を介して供給し、容器を成形した後、使用した高圧吹き込み空気の少なくとも一部を低圧供給部へ供給する。低圧供給部への吹き込み空気戻しを、吹き込み空気弁に並列に接続された戻し弁（４７）により制御する。戻し弁の弁出口を低圧供給部と連通させる。
2008513238.tif 000002
【特許請求の範囲】
【請求項１】
パリソンを熱的にコンディショニングした後、該パリソンをブロー成形型の内部で引伸ばし棒により引伸ばし、吹き込み圧を作用させることにより容器に成形するようにした、容器をブロー成形するための方法であって、まず低圧供給部から供給される第１の吹き込み圧を使用し、次に高圧供給部から供給される第２のより高い吹き込み圧を使用し、吹き込み空気を少なくとも１つの吹き込み弁（４４，４５）を介して供給し、容器を成形した後、使用した高圧吹き込み空気の少なくとも一部を低圧供給部へ供給するようにした前記方法において、
低圧供給部への吹き込み空気戻しを、吹き込み空気弁（４４，４５）に並列に接続された戻し弁（４７）により制御すること、
戻し弁（４７）の弁出口（５０）を低圧供給部と連通させること、
を特徴とする方法。
【請求項２】
戻し弁（４７）を逆止弁（４８）と直列に接続することを特徴とする、請求項１に記載の方法。
【請求項３】
低圧供給部の領域の圧力を測定することを特徴とする、請求項１または２に記載の方法。
【請求項４】
前記弁（４４，４５，４７）の少なくとも１つを、測定した圧力に依存して制御することを特徴とする、請求項１から３までのいずれか一つに記載の方法。
【請求項５】
高圧供給部の領域にほぼ４０バールの圧力を供給することを特徴とする、請求項１から４までのいずれか一つに記載の方法。
【請求項６】
低圧供給部の領域にほぼ２０バールの圧力を供給することを特徴とする、請求項１から５までのいずれか一つに記載の方法。
【請求項７】
低圧供給部の領域の圧縮空気の少なくとも一部を、制御可能に作動空気領域へ戻し可能であることを特徴とする、請求項１から６までのいずれか一つに記載の方法。
【請求項８】
作動空気領域にほぼ１０バールの圧力を提供することを特徴とする、請求項１から７までのいずれか一つに記載の方法。
【請求項９】
圧縮空気の少なくとも一部を、低圧領域から、高圧コンプレッサ（４０）に対するパイロット圧として制御して戻すことを特徴とする、請求項１から８までのいずれか一つに記載の方法。
【請求項１０】
低圧空気用のボリュームアキュムレータを使用することを特徴とする、請求項１から９までのいずれか一つに記載の方法。
【請求項１１】
少なくとも１つの吹き込みステーションを有し、該吹き込みステーションが少なくとも１つのブロー成形型と少なくとも１つの引伸ばし棒とを備え、吹き込みステーションが、第１の吹き込み圧を供給するための低圧供給部と、第１の吹き込み圧よりも高圧の第２の吹き込み圧を供給するための高圧供給部とに接続され、容器成形後に吹き込みステーションから排出する高圧吹き込み空気を低圧供給部に戻す吹き込み空気戻し部が設けられている、容器をブロー成形するための装置において、
吹き込み空気戻し部が戻し弁（４７）を有し、戻し弁（４７）が吹き込み圧力弁（４４，４５）に対し並列に延びている戻し枝路内に配置されていること、
戻し弁（４７）の弁出口（５０）が低圧供給部に接続されていること、
を特徴とする装置。
【請求項１２】
戻し弁（４７）が逆止弁（４８）と直列に接続されていることを特徴とする、請求項１１に記載の装置。
【請求項１３】
低圧供給部の領域に少なくとも１つの圧力センサ（６０）が配置されていることを特徴とする、請求項１１または１２に記載の装置。
【請求項１４】
前記弁（４４，４５，４７）の少なくとも１つが圧力センサ（６０）の測定信号に依存した制御のための制御部（４６）に接続されていることを特徴とする、請求項１１から１３までのいずれか一つに記載の装置。
【請求項１５】
高圧供給部がほぼ４０バールの作動圧を有していることを特徴とする、請求項１１から１４までのいずれか一つに記載の装置。
【請求項１６】
低圧供給部がほぼ２０バールの作動圧を有していることを特徴とする、請求項１１から１５までのいずれか一つに記載の装置。
【請求項１７】
低圧供給部が圧力戻し用の制御ユニット（５０）を介して作動空気領域に接続されていることを特徴とする、請求項１１から１６までのいずれか一つに記載の装置。
【請求項１８】
作動空気領域がほぼ１０バールの作動圧を有していることを特徴とする、請求項１１から１７までのいずれか一つに記載の装置。
【請求項１９】
低圧供給部が、圧力を戻すために、制御ユニット（４５）を介して高圧コンプレッサ（４０）のパイロット圧力段に接続されていることを特徴とする、請求項１１から１８までのいずれか一つに記載の装置。
【請求項２０】
低圧領域に、低圧空気を蓄積するための少なくとも１つのタンク（４２）が配置されていることを特徴とする、請求項１１から１９までのいずれか一つに記載の装置。
【請求項２１】
ブロー成形ホイール（２５）が高圧吹き込み空気を供給するためにただ１つの回転結合部（５９）を備え、高圧とは異なる第２の圧力を供給するため、少なくとも１つの減圧要素がブロー成形ホイール（２５）に配置されていることを特徴とする、請求項１１から２０までのいずれか一つに記載の装置。
【請求項２２】
戻し弁（４７）が、中間アキュムレータ（６７）を介して、低圧供給用の圧力変換器（６１）の入口と連通していることを特徴とする、請求項１１から２１までのいずれか一つに記載の装置。
【発明の詳細な説明】
【技術分野】
【０００１】
本発明は、パリソンを熱的にコンディショニングした後、該パリソンをブロー成形型の内部で引伸ばし棒により引伸ばし、吹き込み圧を作用させることにより容器に成形するようにした、容器をブロー成形するための方法であって、まず低圧供給部から供給される第１の吹き込み圧を使用し、次に高圧供給部から供給される第２のより高い吹き込み圧を使用し、吹き込み空気を少なくとも１つの吹き込み弁を介して供給し、容器を成形した後、使用した高圧吹き込み空気の少なくとも一部を低圧供給部へ供給するようにした前記方法に関するものである。
さらに本発明は、少なくとも１つの吹き込みステーションを有し、該吹き込みステーションが少なくとも１つのブロー成形型と少なくとも１つの引伸ばし棒とを備え、吹き込みステーションが、第１の吹き込み圧を供給するための低圧供給部と、第１の吹き込み圧よりも高圧の第２の吹き込み圧を供給するための高圧供給部とに接続され、容器成形後に吹き込みステーションから排出する高圧吹き込み空気を低圧供給部に戻す吹き込み空気戻し部が設けられている、容器をブロー成形するための装置にも関わる。
【背景技術】
【０００２】
吹き込み圧を作用させて容器を成形する場合、熱可塑性材料から成っているパリソン、たとえばＰＥＴ（ポリエチレンテレフタラート）から成っているパリソンは、ブロー成形機の内部で種々の加工ステーションに供給される。この種のブロー成形機は、典型的には、加熱装置と吹き込み装置とを有しており、吹き込み装置の領域で、予め温度調整したパリソンを二軸延伸させることにより膨張させて容器を形成させる。膨張は、膨張させるパリソンの中に導入される圧縮空気を用いて行なう。パリソンをこのように膨張させる際の方法技術的な工程は特許文献１に記載されている。冒頭で述べられている、加圧状態にあるガスの導入は、成長している容器ブローホール内への圧縮ガスの導入と、ブロー成形過程開始時のパリソン内への圧縮ガスの導入をも含んでいる。
【０００３】
容器を成形するための吹き込みステーションの基本的構成は、特許文献２に記載されている。パリソンを温度調整するための種々の態様は特許文献３に説明されている。
【０００４】
ブロー成形装置内部では、パリソンとブロー成形された容器とが異なる操作装置を用いて搬送されることがあるが、特に、パリソンを延伸させる搬送心棒を使用するのが好ましいことが判明している。しかしながら、他の搬送装置を用いてパリソンを操作することもできる。パリソンを操作するためのやっとこ、保持のためにパリソンの開口領域へ挿入可能な拡開心棒も、使用可能な構成手段に属している。
【０００５】
受け渡しホイールを使用した容器の操作は特許文献４に記載され、受け渡しホイールはブローホイールと放出区間との間に配置されている。
【０００６】
すでに説明したパリソンの操作はいわゆる２段階方式で行なわれ、すなわちまずパリソンを射出成形法で製造し、次に中間保管し、その後はじめてパリソンの温度調整を行い、ブロー成形して容器を形成させる。他方、いわゆる１段階方式も適用され、すなわちパリソンを射出成形で製造して十分に固化させた直後に適宜温度調整し、次のブロー成形を行なう。
【０００７】
使用するブローステーションに関しては種々の実施態様が知られている。ブローステーションが回転搬送ホイールに配置されている場合には、型担持体を本のように開閉可能に折り畳む構成が採用されることが多い。しかし、互いに相対的に変位可能な型担持体、或いは，他の方式で案内される型担持体を使用してもよい。ブローステーションを位置固定する場合には（容器成形用の複数個のキャビティを受容するのに適している）、互いに平行に配置される複数個の板体を型担持体として使用するのが典型的である。
【０００８】
消費した吹き込み空気を高圧領域から低圧領域へ戻すことはすでに特許文献５に記載されている。吹き込み空気を何度も使用する装置の実現は前記特許文献１に説明されている。
【０００９】
従来公知の方法および装置は、できるだけ大量の戻し量を保障し且つ低圧領域での不具合な増圧が回避されるように吹き込み空気の戻しを最適化するにはまだ十分に適したものではない。
【００１０】
【特許文献１】独国特許出願公開第４３４０２９１号明細書
【特許文献２】独国特許出願公開第４２１２５８３号明細書
【特許文献３】独国特許出願公開第２３５２９２６号明細書
【特許文献４】独国特許出願公開第１９９０６７３８号明細書
【特許文献５】米国特許第４４８８８６３号明細書
【発明の開示】
【発明が解決しようとする課題】
【００１１】
本発明の課題は、冒頭で述べた種類の方法において、許容圧力範囲内でできるだけ大量の吹き込み空気を戻せるように改善することである。
【課題を解決するための手段】
【００１２】
この課題は、本発明によれば、低圧供給部への吹き込み空気戻しを、吹き込み空気弁に並列に接続された戻し弁により制御すること、戻し弁の弁出口を低圧供給部と連通させることにより解決される。
【００１３】
本発明の他の課題は、冒頭で述べた種類の装置において、吹き込み空気の最適な戻しが可能であるように構成することである。
【００１４】
この課題は、本発明によれば、吹き込み空気戻し部が戻し弁を有し、戻し弁が吹き込み圧力弁に対し並列に延びている戻し枝路内に配置されていること、戻し弁の弁出口が低圧供給部に接続されていることにより解決される。
【００１５】
別個の戻し岐路内に配置される戻し弁を使用することにより、吹き込み空気弁の切換えに関係なく吹き込み空気を戻すことが可能である。この場合、吹き込み空気弁は好ましくは低圧吹き込み空気の供給のために使用するのがよい。特に、このように別個の戻し弁を使用すると、不具合な増圧を回避するために圧縮空気を排出させる必要なく、低圧領域での圧力制限を実現できる。
【００１６】
戻し岐路内での流動方向を、ブローステーションから低圧供給部の方向のみに予め設定するため、本発明によれば、戻し弁を逆止弁と直列に接続させる。
【００１７】
吹き込み空気の戻しを最適にするため、低圧供給部の領域での圧力を測定する。
【００１８】
特に、前記弁の少なくとも１つを、測定した圧力に依存して制御するのが有利であることが判明した。
【００１９】
典型的な高圧レベルは、高圧供給部の領域にほぼ４０バールの圧力を供給することにより実現される。
【００２０】
予吹き込み段階を実施するには、低圧供給部の領域にほぼ２０バールの圧力を供給することが合目的である。
【００２１】
吹き込み空気の戻しをさらに最適化するため、低圧供給部の領域の圧縮空気の少なくとも一部を、制御可能に作動空気領域へ戻し可能である。
【００２２】
典型的な実施態様によれば、作動空気領域にほぼ１０バールの圧力を供給することが考えられる。
【００２３】
圧縮空気の戻しを最適化するための他の実施態様では、圧縮空気の少なくとも一部を、低圧領域から、高圧コンプレッサに対するパイロット圧として供給制御する。
【００２４】
圧力レベルをさらに均一化するため、低圧空気に対しボリュームアキュムレータを使用する。
【発明を実施するための最良の形態】
【００２５】
次に、本発明の実施形態を添付の図面を用いて詳細に説明する。
図１と図２はパリソン（１）をブロー成形して容器（２）を形成するための装置の基本構成図である。
【００２６】
容器（２）の成形装置は実質的にブローステーション（３）から成り、ブローステーション（３）はパリソン（１）を挿着可能なブロー成形型（４）を備えている。パリソン（１）はたとえばポリエチレンテレフタラートから成る射出成形品である。パリソン（１）をブロー成形型（４）に挿着し、且つ完成した容器（２）を取り出すことができるようにするため、ブロー成形型（４）は型半部分（５，６）と底部（７）とから成っている。底部（７）は昇降装置（８）により位置決め可能である。パリソン（１）はブローステーション（３）の領域において搬送心棒（９）によって保持してよい。搬送心棒（９）はパリソン（１）とともに装置内の多数の処理ステーションを通過する。しかし、パリソン（１）をたとえばやっとこ或いは他の操作手段を介して直接ブロー成形型（４）に挿着するようにしてもよい。
【００２７】
圧縮空気の誘導を可能にするため、搬送心棒（９）の下方には接続ピストン（１０）が配置されている。接続ピストン（１０）はパリソン（１）に圧縮空気を供給するとともに、搬送心棒（９）に対する密封の用をも成す。他方、変形実施形態では、固定の圧縮空気管を使用することも基本的には考えられる。
【００２８】
パリソン（１）の引伸ばしは、本実施形態では、引伸ばし棒（１１）を用いて行う。引伸ばし棒（１１）はシリンダ（１２）により位置決めされる。他の実施形態によれば、ピックアップローラによって付勢されるカムセグメントを介して引伸ばし棒（１１）の機械的位置決めを行う。カムセグメントの使用は、特に、多数のブローステーション（３）が１つの回転ブロー成形ホイール上に配置されている場合に合目的である。
【００２９】
図１に図示した実施形態の場合、引伸ばしシステムは、２つのシリンダ（１２）のタンデム配置が可能であるように構成されている。引伸ばし棒（１１）は、本来の引伸ばし工程を開始する前に、まず第１次シリンダ（１３）によりパリソン（１）の底部（１４）の領域まで移動する。本来の引伸ばし工程を実施している間、引伸ばし棒を走出させた第１次シリンダ（１３）は、該第１次シリンダ（１３）を担持している往復台（１５）とともに第２次シリンダ（１６）により位置決めされ、或いはカム制御部を介して位置決めされる。特に、引伸ばし工程を実施している間に曲線軌道に沿って滑動するガイドローラ（１７）により実際の引伸ばし位置が設定されるように、第２次シリンダ（１６）をカム制御して使用することが考えられる。ガイドローラ（１７）は第２次シリンダ（１６）により案内軌道に対し押圧される。往復台（１５）は２つの案内要素（１８）に沿って滑動する。
【００３０】
担持体（１９，２０）の領域に配置される型半部分（５，６）を閉じた後、ロック装置（２０）を用いて担持体（１９，２０）を互いにロックさせる。
【００３１】
パリソン（１）の口部分（２１）の種々の形状に適合させるため、図２によれば、ブロー成形型（４）の領域に別個のスレッドインサート（２２）を使用する。
【００３２】
図２はブロー成形された容器（２）に加えて破線でパリソン（１）を示すとともに、成長している容器ブローホール（２３）を概略的に図示したものである。
【００３３】
図３はブロー成形機の基本構成を示す。ブロー成形機は加熱路（２４）と回転ブローホイール（２５）とを備えている。パリソン（１）はパリソン装入部（２６）を起点として搬送ホイール（２７，２８，２９）により加熱路（２４）の領域へ搬送される。加熱路（２４）に沿って放射加熱器（３０）とファン（３１）とが配置され、パリソン（１）を温度調整するようになっている。パリソン（１）を十分に温度調整した後、パリソン（１）はブローホイール（２５）へ搬送される。ブローホイール（２５）の領域にはブローステーション（３）が配置されている。ブロー成形を完了した容器（２）は他の搬送ホイールにより排出路（３２）に供給される。
【００３４】
容器（２）内に充填される食料品、特に飲料物の長い有効寿命を保証するような材料特性を容器（２）が有するようにパリソン（１）を容器（２）に成形するには、パリソン（１）の加熱と配向の際に特別な方法ステップを厳守する必要がある。さらに、特殊な寸法規定を厳守することにより有利な成果を得ることができる。
【００３５】
熱可塑性材料としては種々のプラスチックを使用することができる。たとえばＰＥＴ，ＰＥＮまたはＰＰを使用できる。
【００３６】
配向工程を実施している間のパリソン（１）の膨張は圧縮空気の供給により行う。圧縮空気の供給は、ガス（たとえば圧縮空気）を低圧レベルで供給するブロー成形前段階と、ガスを高圧レベルで供給するブロー成形主段階とに分ける。典型的には、ブロー成形前段階を実施している間は１０バールないし２５バールの範囲の圧力を持った圧縮空気を供給し、ブロー成形主段階を実施している間は２５バールないし４０バールの範囲の圧力を持った圧縮空気を供給する。
【００３７】
図３からわかるように、図示した実施形態の場合、加熱路（２４）は周回する多数の搬送要素（３３）から形成され、これらの搬送要素（３３）はチェーン状に互いに列設され、転向ホイール（３４）によって案内されている。特に、チェーン状に配置することにより実質的に長方形の基本輪郭を張るよう想定している。図示した実施形態の場合、加熱路（２４）の搬送ホイール（２９）側および装入ホイール（３５）側の拡がり領域には比較的大きなサイズの単独の転向ホイール（３４）が使用され、この領域に隣接している転向領域には比較的小サイズの２つの転向ホイール（３６）が使用されている。しかし基本的には他の任意のガイドも考えられる。
【００３８】
搬送ホイール（２９）と装入ホイール（３５）とを互いに可能な限り密に配置することができるようにするにはこの種の配置が特に合目的であることが判明した。というのは、加熱路（２４）の対応する拡がり領域には３つの転向ホイール（３４，３６）が位置決めされ、より厳密に言えば、小さいほうの転向ホイール（３６）がそれぞれ加熱路（２４）の直線部への移行領域に位置決めされ、大きいほうの転向ホイール（３４）が搬送ホイール（２９）と装入ホイール（３５）とに直接移行する領域に位置決めされているからである。チェーン状の搬送要素（３３）を使用する代わりに、たとえば回転加熱ホイールを使用してもよい。
【００３９】
容器（２）のブロー成形が終了した後、容器（２）は取り出しホイール（３７）によりブローステーション（３）から搬出され、搬送ホイール（２８）と搬出ホイール（３８）とを介して搬出路（３２）へ搬出される。
【００４０】
図４に図示した加熱路（２４）の変形実施形態では、より多くの放射加熱器（３０）を設けることにより、単位時間当たりより大量のパリソン（１）を温度調整することができる。この変形実施形態では、ファン（３１）が冷却空気を冷却空気管路（３９）の領域へ誘導する。冷却空気管路（３９）はそれぞれ付設の放射加熱器（３０）に対向配置され、排流穴を介して冷却空気を放出する。このように排流方向を設定することにより、冷却空気の流動方向は実質的にパリソン（１）の搬送方向に対し横方向に実現される。冷却空気管路（３９）は、放射加熱器（３０）に対向している表面の領域に、加熱放射線のための反射器を備えていてもよい。同様に、放出された冷却空気を介して放射加熱器（３０）の冷却を行うようにしてもよい。
【００４１】
図５は圧縮ガス供給用の回路図である。図示した容器（２）はパリソン（１）と容器ブローホール（２３）をも示唆している。高圧コンプレッサ（４０）を介してたとえば４０バール以上の出口圧力レベルの圧力が提供される。図示した実施形態の場合、１個または複数個の圧力変換器（４１，６１）を介して２つの異なる供給圧力レベルへ圧力降下させる。より高い圧力レベルはほぼ４０バールであり、より低い圧力レベルはほぼ２０バールである。圧力変換器（４１，６１）は減圧分配ステーションとして構成されており、周囲へ放出される圧縮空気を消音する消音器（６２，６３）を備えている。消音器（６３）は脱気弁（６４）を介して圧力変換器（６１）と接続されている。
【００４２】
タンク（４２，４３）を介してそれぞれの圧力に対し貯留体積が確保され、その結果周期的に圧力を取り出してもそれぞれの圧力レベルは少なくとも近似的に維持される。圧縮ガス供給制御は弁（４４，４５）を使用して行なう。弁（４４，４５）は制御器（４６）に接続されている。制御器（４６）は弁（４４，４５）のそれぞれの切換え時間を整合させる。
【００４３】
より低いブロー圧を供給するための弁（４４）に並列に戻し弁（４７）が配置されている。戻し弁（４７）は逆止弁（４８）と直列に接続されている。戻し弁（４７）の弁入口（４９）はブローステーション（３）と連通し、戻し弁（４７）の弁出口（５０）は逆止弁（４８）に接続されている。逆止弁（４８）はブローステーション（３）から戻し弁（４７）を通って低圧供給部への方向での流動のみを可能にする。周囲に対し容器（２）の内部空間を脱気するため、消音器（５２）と連結されている脱気弁（５１）が使用される。制御可能な弁（４７，５１）も制御器（４６）に接続されているのが好ましい。
【００４４】
上記実施形態の拡張形によれば、ほぼ１０バールの圧力範囲の作動空気を提供する作動空気コンプレッサ（５３）が補助的に使用される。作動空気を貯留するため、作動空気タンク（５４）を使用する。制御ユニット５５を介して、圧縮空気を、適当に降圧させた後に低圧供給部の領域から作動空気供給部の領域へ誘導することが可能である。制御ユニット（５５）は減圧分配ステーションとして構成されている。
【００４５】
制御ユニット（５５）を使用することにより、低圧供給部の領域で最大許容上限圧力レベルに達したときに、作動空気領域への圧力誘導を行なうことが可能である。これにより作動空気コンプレッサの作業効率を減らすことができる。
【００４６】
上記実施形態とは択一的な、或いは、上記実施形態を補足する他の実施形態によれば、低圧吹き込み空気用の前記タンク（４２）または作動空気タンク（５４）を、制御ユニット８５６）を介して高圧コンプレッサ（４０）の入口に接続させてもよい。これにより、高圧コンプレッサ（４０）には空気が周囲圧力レベルで供給されずに、すでに予め圧縮した圧縮空気が供給される。このような作動態様により高圧コンプレッサの作業効率を減らすことができ、よってエネルギーの節約になる。このカスケード式実施形態の利点は、装置を作動させるための全エネルギー量を低減させることができることにある。制御ユニット（５５，５６）はそれぞれ脱気用の消音器（６５，６６）を備えている。
【００４７】
回転ブローホイール（２５）を備えたブロー成形機に対し図５のような圧縮空気供給態様を使用する場合、可動領域（５７）に図示した装置構成要素は回転ブローホイール（２５）上に配置され、他の構成要素は成形機ベット上に位置固定して設置されている。位置固定領域を可動領域（５７）と連結させるため、回転導入部（５８，５９）を使用する。回転導入部（５８，５９）は、たとえば回転軸線に対し同軸に構成した回転接合部の領域にまとめて配置することができる。
【００４８】
典型的な方法によれば、まず、弁（４４）を開いた後、容器（２）を低い吹き込み圧でブロー成形し、次に弁（４４）を閉じ且つ弁（４５）を開いた後、より高い吹き込み圧で容器（２）を仕上げブロー成形する。ブロー成形型（４）内部で容器（２）を十分に安定させた後、弁（４５）を予め閉めた後に戻し弁（４７）を開いて、容器（２）から流出する吹き込み空気を低圧供給部の領域に戻す。再供給過程の終了後、脱気弁（５１）を開き、容器（２）内の内圧を周囲圧まで低下させる。
【００４９】
吹き込みステーション（３）の領域から低圧供給部の領域へ戻る吹き込み空気は、プロセス終了時の次の吹き込みステーションにおいて再利用される。戻し量と消費量とに応じて、タンク（４２）の領域には、公差帯域の範囲内で変化する圧力推移が生じる。戻し量を最適にし、且つ低圧供給部の領域での圧力の変動幅を最小にするため、すでに述べたように、圧縮空気を作動空気供給部の領域へ転送するか、或いは、高圧コンプレッサ（４０）のためのパイロット圧として戻し量を使用してもよい。
【００５０】
有利な作動態様によれば、低圧供給部の領域に圧力センサを配置し、該圧力センサを制御器（４６）に接続してよい。これにより制御器（４６）は戻し弁（４７）および脱気弁（５１）に対する切換え時間を最適化させる。
【００５１】
図６は図５に図示した実施形態の変形実施形態である。この変形実施形態では、低圧用の圧力変換器（６１）は可動領域（５７）の外側に定置されておらず、可動領域（５７）の内部に組み込まれている。したがって圧力変換器（６１）は回転ブローホイール（２５）の領域に配置されている。これにより圧力制御が場所的にタンク（４２）の付近で行なわれるので、より正確な圧力制御が可能になる。
【００５２】
図７の実施形態によれば、圧縮空気の戻しは戻し弁（４７）を介してまず中間タンク（６７）の領域へ行なわれる。中間タンク（６７）はより低い圧力Ｐ１とより高い圧力Ｐ２との間の圧力レベルを有している。中間タンク（６７）に対する典型的な圧力はほぼ３０バールである。さらに、中間タンク（６７）は回転結合部（５８）に接続されている。補助的に、回転結合部（５８）と中間タンク（６７）とはともにより低い圧力のための圧力変換器（６１）の入口に接続されている。圧力変換器（６１）のこの入口はさらに遮断弁（６８）を介してタンク（４３）と連通している。遮断弁（６８）は制御ユニット（６９）により操作され、制御ユニット（６９）には、圧力変換器（６１）の入口圧を検出するための圧力センサ（７０）が接続されている。図６の実施形態の場合も、図７の実施形態の場合も、回転結合部（５８）を介して行なわれるのは、可動領域（５７）から作動空気タンク（５４）の領域への圧縮空気の導出のみである。図５の実施形態では、回転結合部（５８）を介して可動ユニット（５７）へのより低い圧力の供給も行なわれる。
【００５３】
図７の実施形態によれば、圧力変換器（６１）は十分な圧力レベルが存在するような長さで中間タンク（６７）の領域から圧縮空気の供給を受ける。補助的な圧縮空気を、遮断弁（６８）を介して高圧圏から供給してもよい。圧縮空気を圧力変換器（６１）の入口に戻す利点は、タンク（４２）の領域での圧力変動が最小になることである。
【００５４】
図８の実施形態によれば、第２の回転結合部（５８）が設けられていない。可動領域（５７）は回転結合部（５９）のみを介して高圧の供給を受ける。他のすべての圧力変換は可動領域（５７）の内部で行なわれる。図８には、図５および図６の場合と同様の圧縮空気戻し部が図示されている。しかし基本的には、この実施形態の場合も、圧力変換器（６１）の入口への圧縮空気の戻しは図７の実施形態に対応して行なってもよい。
【図面の簡単な説明】
【００５５】
【図１】パリソンから容器を製造するためのブローステーションの斜視図である。
【図２】パリソンを引き伸ばし、膨張させるためのブロー成形型の縦断面図である。
【図３】容器をブロー成形するための装置の基本構成を説明する概略図である。
【図４】加熱能力を増強させた加熱路の変形実施形態である。
【図５】吹き込み空気を戻す際の空気圧機能要素を説明するための回路図である。
【図６】図５の実施形態に対する変形実施形態であり、低圧用の減圧分配ステーションがブローホイールに配置されている実施形態を示す図である。
【図７】図６の実施形態に対する変形実施形態であり、低圧用の減圧分配ステーションの領域に補助的な制御部を設けた実施形態を示す図である。
【図８】ブローホイールの高圧供給部のみが設けられ、低圧はブローホイールの領域で制御技術的に発生させるようにした変形実施形態を示す図である。
【図１】
2008513238.tif 000003
【図２】
2008513238.tif 000004
【図３】
2008513238.tif 000005
【図４】
2008513238.tif 000006
【図５】
2008513238.tif 000007
【図６】
2008513238.tif 000008
【図７】
2008513238.tif 000009
【図８】
2008513238.tif 000010
【国際調査報告】
2008513238.tif 000011
2008513238.tif 000012
2008513238.tif 000013
2008513238.tif 000014
2008513238.tif 000015
2008513238.tif 000016